(57)【要約】【課題】撮影中におけるデジタルカメラの落下を防止する。【解決手段】タッチパネル１４Ｐ付きの表示部２３を有するデジタルカメラであって、撮影を行うための撮影モードと画像の再生を行うための再生モードとの切り換えを含む制御を行うシステム制御部１１を備え、システム制御部１１が、撮影モード時には、タッチパネル１４Ｐに指を接触させたまま該指をタッチパネル１４Ｐ上で移動させるドラッグ操作によって移動させることが可能な引きずりアイコン３０と、デジタルカメラへの各種指示を行うためのコマンドアイコン４０Ａ，４０Ｂ，４０Ｃとを表示部２３に表示させるとともに、ドラッグ操作により引きずりアイコン３０がコマンドアイコン４０Ａ，４０Ｂ，４０Ｃのいずれかの上に移動され且つ該コマンドアイコン上でドラッグ操作が終了されたときに、当該コマンドアイコンに対応する機能を実行する制御を行う。【選択図】図５
2010183244.tif 000002
【特許請求の範囲】
【請求項１】
タッチパネル付きの表示部を有する撮像装置であって、
撮影を行うための撮影モードと画像の再生を行うための再生モードとの切り換えを含む制御を行う制御手段を備え、
前記制御手段が、前記撮影モード時には、前記タッチパネルに物体を接触させたまま該物体を前記タッチパネル上で移動させるドラッグ操作によって移動させることが可能な引きずりアイコンと、前記撮像装置への指示を行うためのコマンドアイコンとを前記表示部に表示させるとともに、前記ドラッグ操作により前記引きずりアイコンが前記コマンドアイコン上に移動され且つ前記コマンドアイコン上で前記ドラッグ操作が終了されたときに、当該コマンドアイコンに対応する機能を実行する制御を行う撮像装置。
【請求項２】
請求項１記載の撮像装置であって、
前記制御手段が、前記撮影モード時に、前記タッチパネル上における物体の接触位置を検知し、前記接触位置に前記引きずりアイコンを自動的に移動させる制御を行う撮像装置。
【請求項３】
請求項１又は２記載の撮像装置であって、
撮影の実行を指示するためのレリーズスイッチを備え、
前記制御手段が、前記レリーズスイッチによる第一の操作がなされたときに前記撮像装置の電源をオンし、前記電源がオンされた状態で前記レリーズスイッチによる第二の操作がなされたときに前記撮影モードに移行する制御を行う撮像装置。
【請求項４】
請求項３記載の撮像装置であって、
前記制御手段が、前記撮影モード時には、前記コマンドアイコンとして前記撮像装置の電源をオフする指示を行うための電源オフアイコンを前記表示部に表示させ、前記ドラッグ操作により前記引きずりアイコンが前記電源オフアイコン上に移動され且つ前記電源オフアイコン上で前記ドラッグ操作が終了されたときに、前記撮像装置の電源をオフする制御を行う撮像装置。
【請求項５】
請求項１又は２記載の撮像装置であって、
撮影の実行を指示するためのレリーズスイッチを備え、
前記制御手段が、前記レリーズスイッチが押されている時のみ前記引きずりアイコンのドラッグ操作を有効とする撮像装置。
【請求項６】
請求項３又は４記載の撮像装置であって、
前記制御手段が、前記レリーズスイッチが押されている時のみ前記引きずりアイコンのドラッグ操作を有効とする撮像装置。
【請求項７】
請求項１〜６のいずれか１項記載の撮像装置であって、
前記コマンドアイコンが、撮影条件を設定する指示を行うためのアイコンを含む撮像装置。
【請求項８】
請求項３〜６のいずれか１項記載の撮像装置であって、
操作を行うための操作手段として、前記レリーズスイッチと前記タッチパネルのみを有する撮像装置。
【請求項９】
タッチパネル付きの表示部を有する撮像装置の制御方法であって、
撮影を行うための撮影モード時に、前記タッチパネルに物体を接触させたまま該物体を前記タッチパネル上で移動させるドラッグ操作によって移動させることが可能な引きずりアイコンと、前記撮像装置への指示を行うためのコマンドアイコンとを前記表示部に表示させるとともに、前記ドラッグ操作により前記引きずりアイコンが前記コマンドアイコン上に移動され且つ前記コマンドアイコン上で前記ドラッグ操作が終了されたときに、当該コマンドアイコンに対応する機能を実行する制御を行う撮像装置の制御方法。
【請求項１０】
請求項９記載の撮像装置の制御方法であって、
前記撮影モード時に、前記タッチパネル上における物体の接触位置を検知し、前記接触位置に前記引きずりアイコンを自動的に移動させる制御を行う撮像装置の制御方法。
【請求項１１】
請求項９又は１０記載の撮像装置の制御方法であって、
撮影の実行を指示するためのレリーズスイッチによる第一の操作がなされたときに前記撮像装置の電源をオンし、前記電源がオンされた状態で前記レリーズスイッチによる第二の操作がなされたときに前記撮影モードに移行する制御を行う撮像装置の制御方法。
【請求項１２】
請求項１１記載の撮像装置の制御方法であって、
前記撮影モード時には、前記コマンドアイコンとして前記撮像装置の電源をオフする指示を行うための電源オフアイコンを前記表示部に表示させ、前記ドラッグ操作により前記引きずりアイコンが前記電源オフアイコン上に移動され且つ前記電源オフアイコン上で前記ドラッグ操作が終了されたときに、前記撮像装置の電源をオフする制御を行う撮像装置の制御方法。
【請求項１３】
請求項９〜１２のいずれか１項記載の撮像装置の制御方法であって、
撮影の実行を指示するためのレリーズスイッチが押されている時のみ前記引きずりアイコンのドラッグ操作を有効とする撮像装置の制御方法。
【請求項１４】
請求項９〜１３のいずれか１項記載の撮像装置の制御方法であって、
前記コマンドアイコンが、撮影条件を設定する指示を行うためのアイコンを含む撮像装置の制御方法。
【発明の詳細な説明】
【技術分野】
【０００１】
本発明は、入力手段としてタッチパネルを用いた撮像装置に関する。
【背景技術】
【０００２】
デジタルカメラの多くは、カメラの背面に表示部を備え、撮影前のプレビュー画像や撮影した画像を表示部に表示して確認できるようになっている。そして近年においては、表示部の全面に透明なタッチパネルを設け、表示部に表示された各種機能を、それぞれの機能に対応するアイコンなどの表示箇所をタッチすることにより実行できるタッチパネル式表示部付きカメラも多く存在する。
【０００３】
タッチパネル式表示部付きカメラに関する先行技術として、下記特許文献１〜４に記載のものが知られている。
【０００４】
特許文献１に記載の先行技術では、タッチパネル上で設定した内容をファインダ内に逐次表示させることによって、タッチパネルによる誤操作を防止している。
【０００５】
特許文献２に記載の先行技術では、撮影者がファインダを覗き込んでいることを検知するためのセンサを具備し、覗き込んでいることを検知した場合には、タッチパネルの機能を停止することにより、誤操作を防止している。
【０００６】
特許文献３に記載の先行技術では、タッチパネルによる操作の際、ドラッグ操作をしているときに、タップ領域をタッチしてしまうことによる誤操作を防止している。
【０００７】
特許文献４に記載の先行技術では、カメラの背面ほぼ全面を占める大画面モニタを備えたタッチパネル式カメラにおいて、再生時にはモニタの全面を使用して再生画像を表示し、撮影時には、カメラを持つ手が接触するエリアをさけてモニタにプレビュー画像を表示することにより、タッチパネルによる操作性を損なうことなく、且つプレビュー画像を覆い隠すことなく表示できるようにしている。
【先行技術文献】
【特許文献】
【０００８】
【特許文献１】特開２００４−１６５９３４号公報
【特許文献２】特開２００１−５９９８４号公報
【特許文献３】特開２００４−４８２２９号公報
【特許文献４】特開平１１−２８９４８４号公報
【発明の概要】
【発明が解決しようとする課題】
【０００９】
タッチパネル式表示部付きカメラは、入力を行う際、指を画面（タッチパネル）に付けたり離したりする必要がある。撮影中には、片手でカメラを持って撮影を行うことが多いが、このときに、入力操作（例えば撮影モード切替や撮影条件の設定変更）を行おうとすると、親指で画面をタッチすることになるため、親指を離したときにグリップが不安定になり、カメラを落としてしまう可能性がある。
【００１０】
特許文献１〜４の技術では、誤操作を防止したり、操作性を向上させたりはできるものの、撮影時におけるカメラの落下の可能性を低くすることはできない。
【００１１】
本発明は上記事情に鑑みてなされたものであり、撮影中の落下を防止することが可能な撮像装置及び撮像装置の制御方法を提供することを目的とする。
【課題を解決するための手段】
【００１２】
本発明の撮像装置は、タッチパネル付きの表示部を有する撮像装置であって、撮影を行うための撮影モードと画像の再生を行うための再生モードとの切り換えを含む制御を行う制御手段を備え、前記制御手段が、前記撮影モード時には、前記タッチパネルに物体を接触させたまま該物体を前記タッチパネル上で移動させるドラッグ操作によって移動させることが可能な引きずりアイコンと、前記撮像装置への指示を行うためのコマンドアイコンとを前記表示部に表示させるとともに、前記ドラッグ操作により前記引きずりアイコンが前記コマンドアイコン上に移動され且つ前記コマンドアイコン上で前記ドラッグ操作が終了されたときに、当該コマンドアイコンに対応する機能を実行する制御を行う。
【００１３】
本発明の撮像装置の制御方法は、タッチパネル付きの表示部を有する撮像装置の制御方法であって、撮影を行うための撮影モード時に、前記タッチパネルに物体を接触させたまま該物体を前記タッチパネル上で移動させるドラッグ操作によって移動させることが可能な引きずりアイコンと、前記撮像装置への指示を行うためのコマンドアイコンとを前記表示部に表示させるとともに、前記ドラッグ操作により前記引きずりアイコンが前記コマンドアイコン上に移動され且つ前記コマンドアイコン上で前記ドラッグ操作が終了されたときに、当該コマンドアイコンに対応する機能を実行する制御を行う。
【発明の効果】
【００１４】
本発明によれば、撮影中の落下を防止することが可能な撮像装置及び撮像装置の制御方法を提供することができる。
【図面の簡単な説明】
【００１５】
【図１】本発明の一実施形態を説明するための撮像装置としてのデジタルカメラの構成例を示す概略構成図
【図２】図１のデジタルカメラの外観斜視図
【図３】図１のデジタルカメラにおける一連の処理の流れを示すフロー図
【図４】図１のデジタルカメラの撮影モードにおける初期画面の表示例を示す図
【図５】図１のデジタルカメラの撮影モードにおける引きずりアイコンの操作例を示した図
【図６】図１のデジタルカメラの撮影設定画面の表示例を示す図
【図７】図１のデジタルカメラのＩＳＯ感度設定画面の表示例を示す図
【図８】図１のデジタルカメラの撮影モード設定画面の表示例を示す図
【発明を実施するための形態】
【００１６】
以下、本発明の実施形態を説明するための撮像装置について説明する。
【００１７】
図１は、本発明の実施形態を説明するための撮像装置としてのデジタルカメラの構成例を示す概略構成図である。
【００１８】
図示するデジタルカメラの撮像系は、撮影レンズ１と、ＣＣＤイメージセンサやＭＯＳイメージセンサ等の固体撮像素子５と、この両者の間に設けられた絞り２と、赤外線カットフィルタ３と、光学ローパスフィルタ４とを備える。
【００１９】
デジタルカメラの電気制御系全体を統括制御するシステム制御部１１は、フラッシュ発光部１２及び受光部１３を制御し、レンズ駆動部８を制御して撮影レンズ１の位置をフォーカス位置に調整したりズーム調整を行ったりし、絞り駆動部９を介し絞り２の開口量を制御して露光量調整を行う。
【００２０】
また、システム制御部１１は、撮像素子駆動部１０を介して固体撮像素子５を駆動し、撮影レンズ１を通して撮像した被写体画像を撮像信号として出力させる。システム制御部１１には、操作部１４を通してユーザからの指示信号が入力される。
【００２１】
デジタルカメラの電気制御系は、更に、固体撮像素子５の出力に接続された相関二重サンプリング処理等のアナログ信号処理を行うアナログ信号処理部６と、このアナログ信号処理部６から出力されたＲＧＢの撮像信号をデジタル信号に変換するＡ／Ｄ変換回路７とを備え、これらはシステム制御部１１によって制御される。
【００２２】
更に、このデジタルカメラの電気制御系は、メインメモリ１６と、メインメモリ１６に接続されたメモリ制御部１５と、補間演算やガンマ補正演算，ＲＧＢ／ＹＣ変換処理等を行って画像データを生成するデジタル信号処理部１７と、デジタル信号処理部１７で生成された画像データをＪＰＥＧ形式に圧縮したり圧縮画像データを伸張したりする圧縮伸張処理部１８と、測光データを積算しデジタル信号処理部１７が行うホワイトバランス補正のゲインを求める積算部１９と、着脱自在の記録媒体２１が接続される外部メモリ制御部２０と、カメラ背面等に搭載された液晶表示部等の表示手段である表示部２３が接続される表示制御部２２とを備え、これらは、制御バス２４及びデータバス２５によって相互に接続され、システム制御部１１からの指令によって制御される。
【００２３】
このデジタルカメラの操作部１４は、撮影の実行を指示するためのレリーズスイッチ１４Ｓと、表示部２３の表示面上に重ねて設けられたタッチパネル１４Ｐとからなる。タッチパネル１４Ｐは、物体（例えば指）の接触を検知して検知信号を出力するものであり、システム制御部１１はこの検知信号によりタッチパネル１４Ｐに対する物体の接触の有無や接触位置等の情報を得ることができる。このデジタルカメラは、図２に示すように、筐体の外面部に、操作手段としてはレリーズスイッチ１４Ｓとタッチパネル１４Ｐだけが設けられた、外観上極めてシンプルな構成となっている。レリーズスイッチ１４Ｓは、二段ストローク構造になっており、スイッチを第一の位置まで押し込んだ所謂半押し状態と、スイッチを第一の位置よりも深い第二の位置まで押し込んだ所謂全押し状態との２つの状態をとることが可能となっている。
【００２４】
つぎに、このデジタルカメラの動作について、図３のフローチャートに示す一連の処理の流れに従って説明する。この一連の処理は、システム制御部１１により実行されるものである。
【００２５】
まず、電源オフの状態で、レリーズスイッチ１４Ｓが長押しされると、すなわちレリーズスイッチ１４Ｓの全押し状態を所定時間（例えば２秒間）以上持続させる操作（第一の操作）がなされると（Ｓ１でＹＥＳ）、カメラ起動処理が実行される（Ｓ２）。
【００２６】
カメラ起動処理（Ｓ２）では、電源をオンする処理の後、カメラの状態をチェックする処理及び必要な初期化処理がなされる。その後、カメラが画像の再生を行うための再生モードに設定される（Ｓ３）。
【００２７】
再生モードにおいては、タッチパネル１４Ｐは全面有効状態になっている。このとき、表示部２３には、まず再生モードで実行可能な機能がメニュー表示され、タッチパネル１４Ｐを操作することにより画像ビューワ機能や編集機能等、任意の機能を選択的に実行できる状態になる。そして、ユーザにより機能が選択されると、その機能が実行される（Ｓ４）。
【００２８】
例えば、画像ビューワ機能が選択されると、記録媒体２１に記録されている撮影済み画像などが表示部２３に表示される。編集機能が選択されると、表示中の画像のズーミングや撮影済み画像の消去などを行える状態に遷移する。また、表示部２３に表示される再生モードのメニュー中にはデジタルカメラの電源オフを指示するための「電源オフ」ボタンがあり、タッチパネル１４Ｐの「電源オフ」ボタンが表示されている部分をタップ（指をタッチパネルに接触させ、その後、その指を離す一連の操作のこと）すると（Ｓ１９：ＹＥＳ）、電源オフ処理を含むカメラ終了処理が実行される（Ｓ２０）。
【００２９】
再生モードにおいて、レリーズスイッチ１４Ｓが半押し（第二の操作）されると（Ｓ５でＹＥＳ）、カメラが撮影を行うための撮影モードに設定される（Ｓ６）。
【００３０】
撮影モードにおいては、タッチパネル１４Ｐは基本的には入力操作を受け付けない状態になっているが、唯一、レリーズスイッチ１４Ｓが半押し状態の時のみ（Ｓ７でＹＥＳ）、入力操作を受け付ける状態になる（Ｓ８）。そして、このとき表示部２３には、図４に示すように、引きずりアイコン３０とコマンドアイコン４０Ａ、４０Ｂ、４０Ｃとが表示される（Ｓ９）。この例では、引きずりアイコン３０は星形のアイコン、コマンドアイコン４０Ａ、４０Ｂ、４０Ｃは、矩形状のアイコンで表わされている。
【００３１】
引きずりアイコン３０は、タッチパネル１４Ｐに指等の物体を接触させたまま該物体をタッチパネル１４Ｐ上で移動させる操作により、表示部２３の画面内を移動させることができる移動型のアイコンである。この引きずりアイコン３０は、レリーズスイッチ１４Ｓが半押し又は全押しされた状態でのみ移動させることが可能となっている。引きずりアイコン３０は、撮影モード設定時には、表示部２３の左下隅近く（ホームポジション）に表示されている。
【００３２】
例えば図５に示したように、人差し指でレリーズスイッチ１４Ｓを押しながら、引きずりアイコン３０上のタッチパネル１４Ｐを親指で触れた後、この親指をタッチパネル１４Ｐに接触させたまま移動させることで、引きずりアイコン３０を画面上の任意の位置に移動させることができるようになっている。以下、図５に示したように、引きずりアイコン３０を指で触りながら引きずって移動させる操作のことを「ドラッグ操作」という。ドラッグ操作は、引きずりアイコン３０（正確にはそれに対応するタッチパネル１４Ｐの一部）に指を接触させたときから開始され、引きずりアイコン３０から指が離された時点で終了するものとする。
【００３３】
コマンドアイコン４０Ａ、４０Ｂ、４０Ｃは、表示部２３の右端部の定位置に表示される位置固定型のアイコンである。各コマンドアイコンは、デジタルカメラへの指示を行うためのアイコンである。コマンドアイコン４０Ａは、カメラを、撮影条件（ＩＳＯ感度、記録画素数、フラッシュの有無、連写モード、動画モード等）を設定するための撮影設定モードに設定し、表示部２３の画面を撮影設定画面（図６）へ遷移させるように指示するためのアイコンである。コマンドアイコン４０Ｂは、再生モード設定画面（図示省略）への遷移を指示するためのアイコンである。コマンドアイコン４０Ｃは、デジタルカメラの電源をオフする指示を行うためのアイコン（電源オフアイコン）である。
【００３４】
図４に示す画面の表示後、引きずりアイコン３０のドラッグ操作が開始されることなく、レリーズスイッチ１４Ｓが全押しされると（Ｓ１０で「レリーズ操作」）、撮影処理を実施した後（Ｓ１７）、撮影モードに戻る。
【００３５】
一方、引きずりアイコン３０のドラッグ操作が開始された場合には（Ｓ１０で「アイコン操作」）、レリーズスイッチ１４Ｓの全押しを無効とし、引きずりアイコン３０の表示位置をタッチパネル１４Ｐに対する物体の接触位置に追従させて更新する（Ｓ１１）。これにより、引きずりアイコン３０を指で引きずるようにして移動させる動作が表現される。そして、引きずりアイコン３０から指が離されて、ドラッグ操作が終了したら（Ｓ１２でＹＥＳ）、引きずりアイコン３０がコマンドアイコン４０Ａ、４０Ｂ、４０Ｃの表示エリア内にあるときにドラッグ操作が終了したか否かチェックする（Ｓ１３）。
【００３６】
引きずりアイコン３０がコマンドアイコン４０Ａ、４０Ｂ、４０Ｃのいずれかの表示エリア外にあるときにドラッグ操作が終了した場合には（Ｓ１３でＮＯ）、引きずりアイコン３０をこれがゴムなどで弾力的に引っ張られているように表示させながらホームポジションに戻すとともに、レリーズスイッチ１４Ｐの全押しを有効にし（Ｓ１８）、図４の画面を表示した状態に戻る（Ｓ１０）。
【００３７】
一方、引きずりアイコン３０がコマンドアイコン４０Ａ、４０Ｂ、４０Ｃのいずれかの表示エリア内にあるときにドラッグ操作が終了した場合には（Ｓ１３でＹＥＳ）、どのコマンドアイコン４０Ａ、４０Ｂ、４０Ｃの表示エリア内でドラッグ操作が終了したかチェックする（Ｓ１４）。
【００３８】
撮影設定画面（図６）への遷移を指示するためのコマンドアイコン（「撮影設定」）４０Ａの表示エリア内で終了した場合には（Ｓ１４で「ＲｅｃＭｏｄｅ」）、カメラを撮影設定モードに設定する（Ｓ１５）。撮影設定モードでは、表示部２３に撮影設定画面（図６）が表示される。
【００３９】
撮影設定画面（図６）には、引きずりアイコン３０とコマンドアイコン４０Ｄ、４０Ｅ、４０Ｆとが表示される。コマンドアイコン４０Ｄは、ＩＳＯ感度設定画面（図７）への遷移を指示するためのアイコンである。コマンドアイコン４０Ｅは、撮影モード設定画面（図８）への遷移を指示するためのアイコンである。コマンドアイコン４０Ｆは、上の階層の画面に戻るように指示するためのアイコンである。なお、図６に示したように、撮影設定画面においても、初期状態では、引きずりアイコン３０はホームポジションに表示される。
【００４０】
撮影設定画面（図６）において、引きずりアイコン３０のドラッグ操作を開始し、コマンドアイコン４０Ｄ上でドラッグ操作を終了させると、表示部２３の画面がＩＳＯ感度設定画面（図７）に遷移する。ＩＳＯ感度設定画面（図７）には、引きずりアイコン３０と、ＩＳＯ１００〜ＩＳＯ８００の各ＩＳＯ感度への設定を指示するためのコマンドアイコン４０Ｇ−１〜４０Ｇ−４と、コマンドアイコン４０Ｆとが表示される。図７に示したように、ＩＳＯ感度設定画面においても、初期状態では、引きずりアイコン３０はホームポジションに表示される。
【００４１】
ＩＳＯ感度設定画面（図７）において、引きずりアイコン３０のドラッグ操作を開始し、コマンドアイコン４０Ｇ−１、４０Ｇ−２、４０Ｇ−３または４０Ｇ−４上でドラッグ操作を終了させると、カメラの設定感度がそのアイコンが示すＩＳＯ感度（ＩＳＯ１００、ＩＳＯ２００、ＩＳＯ４００またはＩＳＯ８００）に設定される。コマンドアイコン４０Ｆ上でドラッグ操作を終了させると、撮影設定画面（図６）に戻る。
【００４２】
撮影設定画面（図６）において、引きずりアイコン３０のドラッグ操作を開始し、コマンドアイコン４０Ｅ上でドラッグ操作を終了させると、表示部２３の画面が撮影モード設定画面（図８）に遷移する。撮影モード設定画面（図８）には、引きずりアイコン３０と、カメラの撮影モードを連写モードに設定するように指示するためのコマンドアイコン４０Ｈと、カメラの撮影モードを動画モードに設定するように指示するためのコマンドアイコン４０Ｉと、コマンドアイコン４０Ｆが表示される。図８に示したように、撮影モード設定画面においても、初期状態では、引きずりアイコン３０はホームポジションに表示される。
【００４３】
撮影モード設定画面（図８）において、引きずりアイコン３０のドラッグ操作を開始し、コマンドアイコン４０Ｈ上でドラッグ操作を終了させると、カメラの撮影モードが連写モードに設定される。また、コマンドアイコン４０Ｉ上でドラッグ操作を終了させると、カメラの撮影モードが動画モードに設定される。そして、コマンドアイコン４０Ｆ上でドラッグ操作が終了されると、撮影設定画面（図６）に戻る。なお、図４に示す画面に図６に示したコマンドアイコン４０Ｄ，４０Ｅを表示させるようにしても良い。
【００４４】
以上のようにして、撮影に関する各種設定がなされる（Ｓ１６）。そして、撮影設定画面（図６）において、引きずりアイコン３０のドラッグ操作を開始し、コマンドアイコン４０Ｆ上でドラッグ操作を終了させると、ステップＳ５の処理に戻る。
【００４５】
また、図４の画面において、引きずりアイコン３０のドラッグ操作がコマンドアイコン（「再生モード」）４０Ｂの表示エリア内で終了した場合には（Ｓ１４で「Ｐｌａｙ」）、カメラが再生モードに設定される（Ｓ３）。
【００４６】
また、図４の画面において、引きずりアイコン３０のドラッグ操作がコマンドアイコン（「電源オフ」）４０Ｃの表示エリア内で終了した場合には（Ｓ１４で「ＰｏｗｅｒＯｆｆ」）、カメラ終了処理（Ｓ２０）が実行される。
【００４７】
上記のように、このデジタルカメラは、撮影モード時（撮影を行うためのモード、撮影条件を設定するモードも含む）には、引きずりアイコン３０とコマンドアイコン４０Ａ〜４０Ｉとをモニタ２３に表示するとともに、タッチパネル１４Ｐに指を接触させながら行われる引きずりアイコン３０のドラッグ操作を監視し、引きずりアイコン３０がいずれかのコマンドアイコン４０Ａ〜４０Ｉ上でドラッグ操作が終了されたときに、そのコマンドアイコンに対応する機能を実行する。このデジタルカメラによれば、片手でカメラを持ってタッチパネル１４Ｐにより入力操作を行う際、タッチパネル１４Ｐから親指を離すことなく操作を行うことができる。片手持ちの状態でもカメラを安定に保持して操作を行うことができるので、撮影中におけるカメラの落下を防止することができる。
【００４８】
また、このデジタルカメラは、レリーズスイッチ１４Ｓを長押しすると電源がオンし、レリーズスイッチ１４Ｓを半押しすると撮影モードに移行するように構成されているので、カメラを片手で持った状態でカメラの電源をオンし、撮影モードに移行させることができる。親指をタッチパネル１４Ｐに接触させてカメラを安定に保持した状態で、レリーズスイッチ１４Ｓを操作する人差し指の動きだけで撮影モードに移行できるため、カメラの落下を効果的に防ぐことができる。また、撮影を行いたいときに片手で直ぐに撮影モードに移行させることができるため、シャッターチャンスを逃す可能性を低くすることができる。
【００４９】
また、このデジタルカメラは、撮影モード時には、電源オフアイコン４０Ｃをモニタ２３に表示し、引きずりアイコン３０のドラッグ操作が電源オフアイコン４０Ｃ上で終了されたときにカメラの電源がオフするように構成されているので、デジタルカメラに最低限必要な、電源オン、撮影、電源オフといった操作を、全て片手で行うことができる。このため、片手しか使えない状況でも撮影を行うことができ、シャッターチャンスを逃す可能性を低くすることができる。また、撮影後は片手のまま電源をオフすることができるため、片手が塞がっている状態でもすぐに電源をオフすることができ、電力の消費を極力抑えることができる。
【００５０】
また、このデジタルカメラは、レリーズスイッチ１４Ｓが半押しされている時のみ引きずりアイコン３０の操作が有効になる。このため、カメラの筐体をしっかり保持した状態で引きずりアイコン３０の操作がなされるようになり、カメラの落下をより効果的に防ぐことができる。なお、撮影モード時にはレリーズスイッチを押さずとも引きずりアイコン３０の操作を常に可能にする構成であっても良い。
【００５１】
また、このデジタルカメラは、引きずりアイコン３０のドラッグ操作がコマンドアイコン４０Ａ〜４０Ｉの表示エリア外で終了した場合には、引きずりアイコン３０がゴムなどで弾力的に引っ張られているかのように動作してホームポジションに戻るので、コマンドアイコン４０Ａ〜４０Ｉによる機能選択がなされなかったことを、使用者に視覚的に実感させることができる。引きずりアイコン３０の操作に面白みを与えるとともに、誤操作を防止することができるという効果が得られる。
【００５２】
なお、上記の実施形態のデジタルカメラでは、引きずりアイコン３０を操作する際、表示部２３の左下隅近傍のホームポジションに指を当ててそこからドラッグ操作を行う必要があるため、手の小さな女性や子供にとっては、カメラを片手で持った状態で引きずりアイコン３０に親指を接触させることが困難な場合もありえる。そこで、撮影モード時にタッチパネル１４Ｐ上における物体の接触位置を検知し、その位置に引きずりアイコン３０を自動的に移動させる機能をシステム制御部１１に持たせて置くことが望ましい。この機能によれば、カメラを片手で持った状態では引きずりアイコン３０に親指を接触させることが難しい人でも楽に操作を行うことができる。
【００５３】
また、上記の例では、本発明をデジタルカメラに適用した場合について説明したが、本発明は、タッチパネル式のモニタを備えたカメラ付き携帯電話機やビデオカメラ等にも適用可能である。
【００５４】
以上説明したように、本明細書には次の事項が開示されている。
【００５５】
開示された撮像装置は、タッチパネル付きの表示部を有する撮像装置であって、撮影を行うための撮影モードと画像の再生を行うための再生モードとの切り換えを含む制御を行う制御手段を備え、前記制御手段が、前記撮影モード時には、前記タッチパネルに物体を接触させたまま該物体を前記タッチパネル上で移動させるドラッグ操作によって移動させることが可能な引きずりアイコンと、前記撮像装置への指示を行うためのコマンドアイコンとを前記表示部に表示させるとともに、前記ドラッグ操作により前記引きずりアイコンが前記コマンドアイコン上に移動され且つ前記コマンドアイコン上で前記ドラッグ操作が終了されたときに、当該コマンドアイコンに対応する機能を実行する制御を行う。
【００５６】
この構成によれば、撮影中、片手で撮像装置を持ってタッチパネルにより入力操作を行う際、タッチパネルから例えば親指を離すことなく操作を行うことが可能なため、撮像装置を安定に保持して操作を行うことができる。
【００５７】
開示された撮像装置は、前記制御手段が、前記撮影モード時に、前記タッチパネル上における物体の接触位置を検知し、前記接触位置に前記引きずりアイコンを自動的に移動させる制御を行う。
【００５８】
この構成によれば、例えば利用者の指の位置に引きずりアイコンを自動的に移動させることができるため、表示部が大きく、片手持ち状態では引きずりアイコンに指を接触させることが難しい人でも楽に操作を行うことができる。
【００５９】
開示された撮像装置は、撮影の実行を指示するためのレリーズスイッチを備え、前記制御手段が、前記レリーズスイッチによる第一の操作がなされたときに前記撮像装置の電源をオンし、前記電源がオンされた状態で前記レリーズスイッチによる第二の操作がなされたときに前記撮影モードに移行する制御を行う。
【００６０】
この構成によれば、撮像装置を片手で持った状態で電源をオンし、撮影モードに移行することができる。例えば、親指をタッチパネルに接触させて撮像装置を安定に保持した状態で、人差し指の動きだけで撮影モードに移行できるため、瞬時に撮りたい被写体が存在し、急いで撮影を行おうとした場合でも、撮像装置の落下を効果的に防いで、撮影を可能とすることができる。
【００６１】
開示された撮像装置は、前記制御手段が、前記撮影モード時には、前記コマンドアイコンとして前記撮像装置の電源をオフする指示を行うための電源オフアイコンを前記表示部に表示させ、前記ドラッグ操作により前記引きずりアイコンが前記電源オフアイコン上に移動され且つ前記電源オフアイコン上で前記ドラッグ操作が終了されたときに、前記撮像装置の電源をオフする制御を行う。
【００６２】
この構成によれば、撮像装置に最低限必要な、電源オン、撮影、電源オフといった操作を、全て片手で行うことができる。このため、片手しか使えない状況でも撮影を行うことができ、シャッターチャンスを逃す可能性を低くすることができる。また、撮影後は片手のまま電源をオフすることができるため、片手が塞がっている状態でもすぐに電源をオフすることができ、電力の消費を極力抑えることができる。
【００６３】
開示された撮像装置は、撮影の実行を指示するためのレリーズスイッチを備え、前記制御手段が、前記レリーズスイッチが押されている時のみ前記引きずりアイコンのドラッグ操作を有効とする。
【００６４】
この構成によれば、撮像装置の筐体をしっかり保持した状態で引きずりアイコンのドラッグ操作がなされるため、撮像装置の落下をより効果的に防ぐことができる。
【００６５】
開示された撮像装置は、前記制御手段が、前記レリーズスイッチが押されている時のみ前記引きずりアイコンのドラッグ操作を有効とする。
【００６６】
この構成によれば、撮像装置の筐体をしっかり保持した状態で引きずりアイコンの操作がなされるため、撮像装置の落下をより効果的に防ぐことができる。
【００６７】
開示された撮像装置は、前記コマンドアイコンが、撮影条件を設定する指示を行うためのアイコンを含む。
【００６８】
この構成によれば、撮像装置を安定して保持した状態で撮影条件の設定を行うことができる。
【００６９】
開示された撮像装置は、操作を行うための操作手段として、前記レリーズスイッチと前記タッチパネルのみを有する。
【００７０】
この構成によれば、レリーズスイッチとタッチパネルのみで撮像装置に必要な全ての操作が可能となる。従来のような操作ダイヤル、操作キーやボタン等が不要となり、外観をシンプルな構成にすることができ、デザイン性を向上させることができる。
【００７１】
開示された撮像装置の制御方法は、タッチパネル付きの表示部を有する撮像装置の制御方法であって、撮影を行うための撮影モード時に、前記タッチパネルに物体を接触させたまま該物体を前記タッチパネル上で移動させるドラッグ操作によって移動させることが可能な引きずりアイコンと、前記撮像装置への指示を行うためのコマンドアイコンとを前記表示部に表示させるとともに、前記ドラッグ操作により前記引きずりアイコンが前記コマンドアイコン上に移動され且つ前記コマンドアイコン上で前記ドラッグ操作が終了されたときに、当該コマンドアイコンに対応する機能を実行する制御を行う。
【００７２】
開示された撮像装置の制御方法は、前記撮影モード時に、前記タッチパネル上における物体の接触位置を検知し、前記接触位置に前記引きずりアイコンを自動的に移動させる制御を行う。
【００７３】
開示された撮像装置の制御方法は、撮影の実行を指示するためのレリーズスイッチによる第一の操作がなされたときに前記撮像装置の電源をオンし、前記電源がオンされた状態で前記レリーズスイッチによる第二の操作がなされたときに前記撮影モードに移行する制御を行う。
【００７４】
開示された撮像装置の制御方法は、前記撮影モード時には、前記コマンドアイコンとして前記撮像装置の電源をオフする指示を行うための電源オフアイコンを前記表示部に表示させ、前記ドラッグ操作により前記引きずりアイコンが前記電源オフアイコン上に移動され且つ前記電源オフアイコン上で前記ドラッグ操作が終了されたときに、前記撮像装置の電源をオフする制御を行う。
【００７５】
開示された撮像装置の制御方法は、撮影の実行を指示するためのレリーズスイッチが押されている時のみ前記引きずりアイコンのドラッグ操作を有効とする。
【００７６】
開示された撮像装置の制御方法は、前記コマンドアイコンが、撮影条件を設定する指示を行うためのアイコンを含む。
【符号の説明】
【００７７】
１１    システム制御部
１４Ｐ  タッチパネル
１４Ｓ  レリーズスイッチ
２３    表示部
３０    引きずりアイコン
４０Ａ〜４０Ｉ  コマンドアイコン
【図１】
2010183244.tif 000003
【図２】
2010183244.tif 000004
【図３】
2010183244.tif 000005
【図４】
2010183244.tif 000006
【図５】
2010183244.tif 000007
【図６】
2010183244.tif 000008
【図７】
2010183244.tif 000009
【図８】
2010183244.tif 000010